(57)【特許請求の範囲】
【請求項１】
一端部がＵ字形状であるＵ字形状端面をもつ平板状のクリップ本体と、
両端部が該クリップ本体から延び、該クリップ本体の該一端部の該Ｕ字形状端面から細いＵ字形状のＵ字形状間隙を隔てて該Ｕ字形状端面に沿って延びるＵ字形状のくわえ部と、を有し、
前記Ｕ字形状間隙を区画する前記クリップ本体の裏面及び前記くわえ部の表面はほぼ同一平面にあり、
前記クリップ本体の裏面及び前記くわえ部の表面の前記Ｕ字形状間隙の近傍は粗面であり、
前記Ｕ字形状端面を区画する前記一端部の中央部分はその裏面が該端面の先端部に向かうにつれて該中央部分の表面に近づくテーパ面となっていることを特徴とする掲示用クリップ。
【請求項２】
前記Ｕ字形状間隙の両端部を区画する面は該両端部が延びる方向に対して略垂直の平面である請求項１に記載の掲示用クリップ。
【請求項３】
前記クリップ本体の他端部はＵ字形状であるＵ字形状端面をもち、
さらに、両端部が該クリップ本体から延び、該クリップ本体の該他端部の該Ｕ字形状端面から細いＵ字形状のＵ字形状間隙を隔てて該Ｕ字形状端面に沿って延び、その表面が該クリップ本体の裏面とほぼ同一平面であるＵ字形状の他端くわえ部を有する請求項１又は２に記載の掲示用クリップ。
【請求項４】
前記くわえ部は、その中央部の前記Ｕ字形状間隙と反対側の端面がＵ字形状の副クリップ本体と、両端部が該副クリップ本体から延び、該副クリップ本体から細いＵ字形状のＵ字形状間隙を隔てて該副クリップ本体端面に沿って延びるＵ字形状の副くわえ部と、をもつ請求項１〜３のいずれかに記載の掲示用クリップ。
【請求項５】
前記クリップ本体の前記一端部は中央部ほど前記Ｕ字形状間隙側に突出する形状である請求項１〜４のいずれかに記載の掲示用クリップ。
【請求項６】
前記クリップ本体の裏面には、弾性をもち、裏面側が前記くわえ部の裏面と面一である粘着部材をもつ請求項１〜５のいずれかに記載の掲示用クリップ。
【請求項７】
前記クリップ本体の表面は商標、会社名等を表示する表示部となっている請求項１〜６のいずれかに記載の掲示用クリップ。
【発明の詳細な説明】
【０００１】
【発明の属する技術分野】
本発明は、書類等の被狭持物を挟み込み掲示するための掲示用クリップに関する。
【０００２】
【従来の技術】
従来よりパソコンへのデータ入力時等に書類を保持する書類スタンドが種々市販されている。このような書類スタンドは、机上などで自立するように、比較的、大型で複雑なものであり、安価に製造することが困難であった。そのために、書類スタンドはノベルティ等のコスト要求の厳しい分野には採用されがたかった。
【０００３】
そこで、部品点数を減らし、単純な構造を採用して低コストを実現するために、机上で自立する構造に代えて、パソコンのディスプレー装置のフレーム等の使用されていない部分に固定して用いるクリップをデータ入力時等の書類保持に用いることを検討した。従来のクリップとしては、１対のクリップ片をヒンジ等を介して開閉自在に連結したもの、一端部に書類を狭持するＵ字形状の間隙をもつものが一般的に知られている。
【０００４】
【発明が解決しようとする課題】
本発明では、たとえ書類が１枚の薄い紙であっても外れることがないクリップを提供することを解決すべき課題とする。
【０００６】
【課題を解決するための手段】
上記課題を解決するために本発明の掲示用クリップは、一端部がＵ字形状であるＵ字形状端面をもつ平板状のクリップ本体と、両端部が該クリップ本体から延び、該クリップ本体の該一端部の該Ｕ字形状端面から細いＵ字形状のＵ字形状間隙を隔てて該Ｕ字形状端面に沿って延びるＵ字形状のくわえ部と、を有し、
前記Ｕ字形状間隙を区画する前記クリップ本体の裏面及び前記くわえ部の表面はほぼ同一平面にあり、前記クリップ本体の裏面及び前記くわえ部の表面の前記Ｕ字形状間隙の近傍は粗面であり、前記Ｕ字形状端面を区画する前記一端部の中央部分はその裏面が該端面の先端部に向かうにつれて該中央部分の表面に近づくテーパ面となっていることを特徴とする（請求項１）。
【０００７】
前記クリップ本体の裏面及び前記くわえ部の表面の前記Ｕ字形状間隙の近傍は粗面とすると、狭持された書類等の脱落が抑制できる。そして、前記Ｕ字形状端面を区画する前記一端部の中央部分はその裏面が該端面の先端部に向かうにつれて該中央部分の表面に近づくテーパ面となっていることで、Ｕ字形状間隙に書類等を狭持し易くなる。
つまり、掲示用クリップを構成するクリップ本体とくわえ部との位置関係を調節することで、たとえ書類が１枚の薄い紙であっても外れることがないクリップが提供できる。
【０００８】
さらに、前記Ｕ字形状間隙の両端部を区画する面は該両端部が延びる方向に対して略垂直の平面であることが好ましい（請求項２）。書類等がＵ字形状間隙に挿入狭持されたときにその書類と当接する面である前記Ｕ字形状間隙の両端部を区画する面をその両端部が延びる方法に対して略垂直の面とすることで書類を狭持したときの書類に対する損傷が抑えられる。
【００１０】
そして、前記クリップ本体の他端部はＵ字形状であるＵ字形状端面をもち、さらに、両端部が該クリップ本体から延び、該クリップ本体の該他端部の該Ｕ字形状端面から細いＵ字形状のＵ字形状間隙を隔てて該Ｕ字形状端面に沿って延び、その表面が該クリップ本体の裏面とほぼ同一平面であるＵ字形状の他端くわえ部を有することが好ましい（請求項３）。Ｕ字形状間隙に狭持される書類等はクリップ本体の表示部を隠すことなく、クリップ本体の上下方向に書類等を狭持できるからである。たとえば、クリップ本体上方のＵ字形状間隙にはメモ用紙等が狭持できる。
【００１１】
また、前記くわえ部は、その中央部の前記Ｕ字形状間隙と反対側の端面がＵ字形状の副クリップ本体と、両端部が該副クリップ本体から延び該副クリップ本体と細いＵ字形状のＵ字形状間隙を隔てて該副クリップ本体端面に沿って延びるＵ字形状の副くわえ部と、をもつことが好ましい（請求項４）。副クリップ本体の存在により、書類を狭持できる部位が増えるとともに、くわえ部で狭持した書類等の支持がより強固に行えるからである。
【００１２】
そして、前記クリップ本体の前記一端部は中央部ほど前記Ｕ字形状間隙側に突出する形状であることが好ましい（請求項５）。Ｕ字形状間隙に狭持された書類等はクリップ本体のＵ字形状間隙側の形状に沿って曲がることで、上下方向に向いた軸をもつ円筒の一部をなし、縦方向の折れ曲がりに対する剛性が向上して、狭持した書類が垂れ下がることを防止できる。特に本発明の掲示用クリップをディスプレー装置のフレーム等に貼付して用いる場合に書類の中央部分を狭持すると、書類の端部がディスプレー装置の表示部分を隠してしまうので書類を左右いずれかに偏らせる必要があるが、そのときにも狭持した書類の垂れ下がりを効果的に抑制できる。
【００１３】
さらに、前記クリップ本体の裏面には、弾性をもち、裏面側が前記くわえ部の裏面と面一である粘着部材をもつことが好ましい（請求項６）。本掲示用クリップを壁面上に貼付するときに粘着部材の裏面側をくわえ部の裏面と面一とすることで、くわえ部の存在により、より少ない面積の粘着部材でも安定して固定できる。
【００１４】
そして、前記クリップ本体の表面は商標、会社名等を表示する表示部となっていることが望ましい（請求項７）。
【００１５】
【実施例】
（実施例１）
本実施例の掲示用クリップは、図１に示すように、クリップ本体１１とくわえ部１２と、他端くわえ部１３とをもつ。クリップ本体１１とくわえ部１２と他端くわえ部１３とは一体的に成型されている。クリップ本体１１の表面には表示部としての会社名等が記載されたシール１４が貼付されている。
【００１６】
クリップ本体１１の一端部１１１及び他端部１１２はＵ字形状端面をなし、一端部１１１とくわえ部１２との間でＵ字形状間隙１５を区画し、他端部１１２と他端くわえ部１３との間でＵ字形状間隙１６を区画する。
【００１７】
Ｕ字形状間隙１５及び１６の両端部を区画する面１５１、１５２、１６１及び１６２は、Ｕ字形状間隙１５及び１６の延びる方向に対してそれぞれ略垂直である。
【００１８】
クリップ本体１１の一端部１１１は中央部ほどＵ字形状間隙１５側に突出する形状であり、他端部１１２も中央部ほどＵ字形状間隙１６側に突出する形状である。一端部１１１及び他端部１１２は、断面図（図１（ｂ））に示すように、裏面側がＵ字形状間隙１５及び１６側に近づくにつれてその表面に近づくテーパ面となっている。
【００１９】
クリップ本体１１の裏面とくわえ部１２及び他端くわえ部１３の表面とはほぼ同一平面である。クリップ本体１１の裏面には粘着部材１７が貼付されている。粘着部材１７の裏面はくわえ部１２及び他端くわえ部１３の裏面と面一である。
【００２０】
Ｕ字形状間隙１５を区画するクリップ本体１１の裏面及びくわえ部１２の表面と、Ｕ字形状間隙１６を区画するクリップ本体１１の裏面及び他端くわえ部１３の表面とは粗面となっている。
【００２１】
以上の構成をもつことから本実施例の掲示用クリップは以下の作用効果をもつ。すなわち、本掲示用クリップの一端部側から書類を差し込むときに、まず、書類の先端部は、クリップ本体１１の一端部１１１に当接する。一端部１１１はテーパ面をなすことから、当接した書類はテーパ面の傾斜に導かれてＵ字形状間隙１５内に容易に狭持できる。最終的には書類の先端部はＵ字形状間隙１５の両端を区画する面１５１及び１５２に当接する。ここでこれらの面１５１及び１５２がＵ字形状間隙１５の両端部が延びる方向と略垂直であるので、書類の先端部は損傷を受けない。
【００２２】
書類はクリップ本体１１の裏面とくわえ部１２の表面との間で狭持される。クリップ本体１１の裏面とくわえ部１２の表面とはほぼ同一平面であるので、書類が外れることがない。さらに、クリップ本体１１の裏面とくわえ部１２の表面とは粗面としてあるのでその摩擦により、たとえ狭持される書類が１枚の薄い紙であっても外れることがない。
【００２３】
Ｕ字形状間隙１５に狭持された書類はクリップ本体１１の一端部１１１の形状が中央部に行くほど、Ｕ字形状間隙１５側に突出する形状であるので、書類はその形状に合わせて両端部が図面手前側に湾曲する。その結果、書類の剛性が高まり、書類が垂れ下がることがなくなる。特に本掲示用クリップをパソコンのディスプレー装置のフレーム等に固定して用いる場合には、書類によってディスプレー装置の表示面を隠さないように、本掲示用クリップにより書類を固定する部分を左右のいずれかに偏らせる必要があるが、その場合であっても、書類が湾曲することで剛性が高まり垂れ下がることが少なくなる。
【００２４】
クリップ本体１１の裏面及びくわえ部１２の表面と同じように、クリップ本体１１の裏面と他端くわえ部１３の表面との間でも書類を狭持できる。ここでもクリップ本体１１の裏面と他端くわえ部１３の表面とはほぼ同一平面であるので、書類が外れることがない。さらに、クリップ本体１１の裏面と他端くわえ部１３の表面とは粗面としてあるので、たとえ書類が１枚の薄い紙であっても外れることがない。
【００２５】
Ｕ字形状間隙１６の形状についてもＵ字形状間隙１５で説明したように、クリップ本体１１の他端部１１２の形状が中央部に行くほど、Ｕ字形状間隙１６側に突出する形状であるので、書類はその形状に合わせて両端部が図面手前側に湾曲する。その結果、書類の剛性が高まり、書類が垂れ下がることがなくなる。特に本掲示用クリップの他端くわえ部１３のように、上方に向けて書類を狭持する場合により効果的である。
【００２６】
したがって、本掲示用クリップにおいてクリップ本体１１の一端側及び他端側の双方に書類を狭持させた場合であっても書類の先端部分はクリップ本体１１の裏面側に収まり、表面側にあるシール１４の表面を覆うことはない。特に本実施例ではクリップ本体１１の上方に位置する他端くわえ部１３に書類を狭持した場合であっても、前述したように、狭持された書類は垂れ下がることがないので、シール１４を覆って表示されている内容を隠すおそれがない。したがって、クリップ本体１１の表面のすべてを広告宣伝用等の用途に使用できる表示部として使用できる。
【００２７】
また、粘着部材１７の裏面をくわえ部１２及び他端くわえ部１３の裏面と面一としたことで、粘着部材１７を用いて本掲示用クリップを貼付した場合にくわえ部１２及び他端くわえ部１３の裏面も粘着部材１７と同一面に接触するので、少ない面積の粘着部材１７を用いたとしても安定して本掲示用クリップを固定でき、低コスト化を達成できる。
【００２８】
（実施例２）
本実施例の掲示用クリップは、図２に示すように、実施例１の掲示用クリップとくわえ部２２が異なる以外はほぼ同一の構成をもつ。したがって、くわえ部２２以外の構成要素については説明を省略する。
【００２９】
本実施例の掲示用クリップのくわえ部２２は、クリップ本体２１の一端側と共にＵ字形状間隙２５を区画すると共に、その中央部の前記Ｕ字形状間隙と反対側の端面がＵ字形状の副クリップ本体２２３と、両端部が副クリップ本体２２３から延び副クリップ本体と細いＵ字形状のＵ字形状間隙２２２を隔てて副クリップ本体２２３の端面に沿って延びるＵ字形状の副くわえ部２２１とをもつ。これら副クリップ本体２２３及び副くわえ部２２１は、くわえ部２２と一体的に成型されている。
【００３０】
副くわえ部２２１はくわえ部２２からほぼ延長した平面状にあり、副くわえ部２２１の表面と副クリップ本体２２３の裏面とはほぼ同一平面である。Ｕ字形状間隙２２２の両端部の端面を区画する面２２２１及び２２２２はＵ字形状間隙２２２の両端部の延びる方向と略垂直である。副クリップ本体２２３のＵ字形状間隙２２２を区画する一端２２３１は先端に行くに従い表面側に近く付くテーパ面である。また、副クリップ本体２２３の一端２２３１は中央部ほどＵ字形状間隙２２２側に突出する形状である。副クリップ本体２２３の裏面及び副くわえ部２２１の表面は粗面となっている。
【００３１】
以上のような構成をもつので、本実施例の掲示用クリップは実施例１の掲示用クリップの作用効果にくわえて以下の作用効果をもつ。すなわち、クリップ本体２１表面に設けられたシール２４を隠すことなく、新たに書類を狭持できる部位を提供できる。また、副クリップ本体２２３が存在することで、Ｕ字形状間隙２５で狭持された書類の裏面を図面手前側に押す方向の力が働き、書類の狭持がより安定する。
【００３２】
【発明の効果】
本発明の掲示用クリップは、以上説明したように、その構造を工夫した結果、使用時においても商品名等の表示を大きく行うことができるクリップを提供することができる。
【図面の簡単な説明】
【図１】実施例１の掲示用クリップを示した正面図（ａ）及び正面図（ａ）におけるｂ−ｂ断面図（ｂ）である。
【図２】実施例２の掲示用クリップを示した正面図（ａ）及び正面図（ａ）におけるｂ−ｂ断面図（ｂ）である。
【符号の説明】
１１、２１…クリップ本体    １２、２２…くわえ部    １３、２３…他端くわえ部    １４、２４…シール    １５、１６、２５、２６、２２２…Ｕ字形状間隙    １７、２７…粘着部材    ２２１…副くわえ部    ２２３…副クリップ本体
【図１】
0003838343.tif 000002
【図２】
0003838343.tif 000003